(57)【要約】【課題】樹脂層の外側に金属層を設けた２層構造の貯湯タンクは、樹脂層のピンホールを通過した水蒸気が樹脂層と金属層の間に蓄積し、樹脂層が部分的に膨らんで破裂し、かつ金属層に腐食が発生して水漏れに至るという課題があった。【解決手段】樹脂層の外側に金属層を設けた２層構造の貯湯タンクにおいて、外面の金属層に複数の孔を設ける構成とすることで、水蒸気が樹脂層と金属層の間に蓄積することを防止することができる。【選択図】図１
2013019626.tif 000002
【特許請求の範囲】
【請求項１】
内面を樹脂層、外面を金属層の２層構造で構成し、金属層には複数の孔を設ける構成としたことを特徴とする貯湯タンク。
【請求項２】
前記孔は千鳥状に開口されていることを特徴とする請求項１に記載の貯湯タンク。
【発明の詳細な説明】
【技術分野】
【０００１】
本発明は、ヒーターまたはヒートポンプ機構を備えた貯湯式電気給湯機の貯湯タンクに関するものである。
【背景技術】
【０００２】
従来の貯湯式電気給湯機の貯湯タンクを図３に示す。従来、ヒーターやヒートポンプ機構で温水をつくり貯湯する貯湯式電気給湯機には、筒型形状の胴部７と、この胴部の両端を閉塞するように鏡板８を取り付けて一体化した貯湯タンクが用いられてきた。そしてこの貯湯タンクにはホーロー製やステンレス製や樹脂製、または樹脂層１０の外側に金属層１１を設けた２層構造の貯湯タンクが提案されてきた。貯湯タンクには給水口９ａから水が供給され、給湯口９ｂからタンク内のお湯を給湯する構造となっている。
【先行技術文献】
【特許文献】
【０００３】
【特許文献１】特開昭６０―２３５９４８号公報
【発明の概要】
【発明が解決しようとする課題】
【０００４】
しかしながら、従来のホーロー製やステンレス製のタンクは、使用する地域の水質により、供給される水中の塩素イオンや硫酸イオンなどの濃度が高いと、腐食して水漏れに至ることがあった。また、樹脂製のタンクは水中の塩素イオンや硫酸イオンによる腐食は発生しにくいが、金属製に比べて強度が劣る。また、図３に示す、樹脂層１０の外側に金属層１１を設けた２層構造の貯湯タンクは、図４に示すように、樹脂層１０のピンホールを通過した水蒸気１２が樹脂層１０と金属層１１の間に蓄積し、樹脂層１０が部分的に膨らんで破裂し、かつ金属層１１に腐食孔１３が発生して水漏れに至るという課題を有していた。
【課題を解決するための手段】
【０００５】
前記従来の課題を解決するために本発明の貯湯タンクは、内面を樹脂層、外面を金属層の２層構造で構成し、金属層には複数の孔を設ける構成としている。
【発明の効果】
【０００６】
本発明の貯湯タンクによれば、内面を樹脂層、外面を金属層の２層構造で構成し、金属層には複数の孔を設ける構成としているため、供給される水中の塩素イオンや硫酸イオンなどの濃度が高くても腐食しにくく、十分な強度および耐圧を有している。また、貯湯タンク内部に発生した水蒸気が内面樹脂層のピンホールを通過しても、外面金属層に設けられた孔から外部に排出されて、樹脂層と金属層の間に蓄積することはなく、樹脂層の破裂や金属層の腐食の発生を防止することができる。
【図面の簡単な説明】
【０００７】
【図１】本発明の実施の形態における貯湯タンクの概略断面図
【図２】本発明の実施の形態における貯湯タンクの拡大断面図
【図３】従来の貯湯タンクの概略断面図
【図４】従来の貯湯タンクの拡大断面図
【発明を実施するための形態】
【０００８】
本発明は、ヒ−ターまたはヒ−トポンプ機構を備えた貯湯式電気給湯機の貯湯タンクに
おいて、筒型形状の胴部１と、この胴部の両端を閉塞するように鏡板２を取り付けて一体化した構成とし、タンクの内面を樹脂層、外面を金属層の２層構造として、金属層には複数の孔を設けている。
【０００９】
また孔は千鳥状に開口されているので、さらに強度および耐圧を確保することができる。
【００１０】
以下、本発明の実施の形態について、図面を参照しながら説明する。なお、この実施の形態によって本発明が限定されるものではない。
【００１１】
（実施の形態１）
図１は、本発明の実施の形態における貯湯タンク概略断面図である。図１において、筒型形状の胴部１とこの胴部の両端を閉塞するように鏡板２を取り付けて、円筒形状の貯湯タンクを構成してある。鏡板２には給水口３ａおよび給湯口３ｂが設けてある。外面の金属層４には鉄を使用し、胴部１と鏡板２とはアーク溶接ですきまなく接合してある。内面の樹脂層５には架橋ポリエチレンをブロー成形でタンク形状に構成してある。架橋ポリエチレンの替りに耐熱性や成形性を考慮して、他のポリオレフィン系樹脂であるポリエチレン、ポリプロピレン、ポリブチレン、ポリフェニレンサルファイド等を使用する場合もある。また外面の金属層４にはあらかじめ、φ１〜φ１０程度の孔６を２０ｍｍ〜１００ｍｍピッチで千鳥状に開けてある。
【００１２】
以上のように構成された貯湯タンクについて、以下その動作、作用を説明する。貯湯タンクは給水口３ａから減圧弁（図示せず）で一定の圧力に保たれた水が給水され、給湯口３ｂからタンク内のお湯を給湯する構造となっている。貯湯タンク内には一定の圧力がかかるが、鏡板２と胴部１はすきまなく接合しているため、内部の水またはお湯が漏れることはない。
【００１３】
貯湯タンクの内面には樹脂層５が構成してあるため、塩素イオンや硫酸イオンなどの濃度が高い水が供給されることがあっても腐食しにくく、水漏れが発生しにくい。そして貯湯タンク内には、ヒーターまたはヒートポンプ機構でつくられた温水が貯められ、その際に発生する水蒸気が樹脂層５のピンホールを通過することがあるが、金属層４に設けられた孔６を通って外部に放出されるため、樹脂層５と金属層４の間に蓄積することはない。
【００１４】
また、給水口３ａから過大な水圧がかかったり、気温の低下による凍結が発生して内部の圧力が上昇した場合でも、外面は十分な強度を有した金属層４で構成してあるため、破壊しにくく、水漏れを防止できる。給湯口３ｂからの給湯量が給水口３ａからの給水量よりも多い場合、貯湯タンク内は負圧になり変形しようとするが、タンク外面は十分な強度を有した金属層４で構成してあるため、変形を防止することができる。
【００１５】
また、貯湯タンクの給湯口３ｂの開け閉めにより発生する圧力変動においても、外面の金属層４により十分な強度を有しているため、圧力変動による振幅を小さく抑えることができ、また内面に金属よりも伸びの大きい樹脂層５を構成していることで、疲労破壊が発生しにくい。以上のように、樹脂層と金属層の２層構造による十分な防食と、十分な強度を有しながら、樹脂層と金属層の間に水蒸気が溜まることがないので、耐久性の高い貯湯タンクを提供することができる。
【００１６】
なお、本発明は外面金属層４に複数の孔６を設けた構成において説明したが、スリットを設けた金属層や金属網で構成しても良い。また材質は鉄でもステンレスでも銅でも、同様の構成がとれれば何でも良い。また、内面の樹脂層５を射出成形で構成したのち、外面の金属層４を溶接でなく、カシメやネジ、ボルト止めで構成しても良い。
【産業上の利用可能性】
【００１７】
以上のように本発明にかかる貯湯式電気給湯機の貯湯タンクは、タンクの内面を樹脂層、外面を金属層の２層構造として、金属層には複数の孔を設けている構成しているため、簡素な構成で腐食の発生を防止し、かつ過負圧での変形も十分に防止することができる安全性の高い構成として有用である。
【符号の説明】
【００１８】
１  胴部
２  鏡板
３ａ  給水口
３ｂ  給湯口
４  外面金属層
５  内面樹脂層
６  孔
【図１】
2013019626.tif 000003
【図２】
2013019626.tif 000004
【図３】
2013019626.tif 000005
【図４】
2013019626.tif 000006